(57)【要約】【課題】アイロンにおいて、部屋のインテリアとして機能する等の利用価値の高いアイロンを提供するものである。【解決手段】表面カバー３から操作可能な切換えスイッチ１５をベースカバー５上に設け、アイロンとしての使用と照明器具としての使用の切換えを行なえるようにし、アイロンとして使用している際にはランプ１２はベース２が暖められる時などの通電時にのみ点灯し、照明器具として使用している際には常時点灯することにより、アイロン機能に留まらず照明機能としても使用できるものである。【選択図】  図１
2004275375.tif 000002
【特許請求の範囲】
【請求項１】
ヒータにより加熱される円形のベースと、前記ベースの上方を覆うように配設されたベースカバーと、前記ベースカバーを覆うように配設した表面カバーを具備し、前記表面カバーの内部に発光手段を設け前記表面カバーを光透過性とし照明機能を付加したアイロン。
【請求項２】
表面カバーを半球状とする請求項１記載のアイロン。
【請求項３】
ベースカバーの上方に中間カバーを配設し、表面カバーがベースカバーと前記中間カバーを覆うようにする請求項１記載のアイロン。
【発明の詳細な説明】
【０００１】
【発明の属する技術分野】
本発明は、アイロンに関するものである。
【０００２】
【従来の技術】
従来のこの種のアイロンは、埋設したヒータにより加熱される略三角形状のベースと、ベースの上面側を覆うベースカバーと、ベースカバー上に設置した把手体を固定し、把手体の上部には内部を中空にした棒状の握り部を形成している（例えば特許文献１参照）。
【０００３】
【特許文献１】
特開２００１−１７８９９８号公報
【０００４】
【発明が解決しようとする課題】
クリーニングサービスの普及により一般家庭に於てアイロンを使用する頻度は少なくなり、普段はアイロンを押入れや物置等に収納している場合が多い。その結果、上記アイロンでは収納スペースを無駄にするだけでなく、使用の際にはわざわざ押入れや物置等からアイロンを取り出す必要が生じ、使用者は面倒極まりない。
【０００５】
また、押入れや物置等に収納せずに部屋の片隅に放置しておくことも考えられるが、アイロンの外観は部屋のインテリア全体を考慮した上で決して良いものとは言えない点や、本来アイロンとは衣類にアイロン掛けを施すためのものであり他の利用価値がないことから点から、決して望ましいこととは言えない。
【０００６】
本発明は上記課題を解決し、部屋の片隅に放置したとしても部屋のインテリアの調和を保ちつつ、利用価値の高いアイロンを提供するものである。
【０００７】
【課題を解決するための手段】
上記課題を解決するために本発明は、ヒータにより加熱される円形のベースと、前記ベースの上方を覆うように配設されたベースカバーと、前記ベースカバーを覆うように配設した表面カバーを具備し、前記表面カバーの内部に発光手段を設け前記表面カバーを光透過性とし照明機能を付加したアイロンであり、アイロン機能に留まらず照明機能として使用できるものである。
【０００８】
【発明の実施の形態】
上記課題を解決するために本発明は、ヒータにより加熱される円形のベースと、前記ベースの上方を覆うように配設されたベースカバーと、前記ベースカバーを覆うように配設した表面カバーを具備し、前記表面カバーの内部に発光手段を設け前記表面カバーを光透過性とし照明機能を付加したアイロンであり、アイロン機能に留まらず照明機能として使用できるものである。
【０００９】
また、表面カバーを半球状とすることにより、内部で発光する発光手段が周囲に均等な明るさで伝わり、且つ見た目にも美しい。
【００１０】
また、ベースカバーの上方に中間カバーを配設し、表面カバーがベースカバーと前記中間カバーを覆うようにすることにより、表面カバーが透明であるとき内部の部品が見えてしまい美観を損ねることを中間カバーを設けることにより防止し、見た目に美しいアイロンを提供するものである。
【００１１】
【実施例】
以下、本発明の実施例について図面を参照しながら説明する。
【００１２】
図１は本発明のアイロン１であり、円形状のベース２の上に略円形状のヒータ部４、略円形状のベースカバー５、半球状の中間カバー６、半球状の表面カバー３を順に同軸上に重ねたものである。なお、中間カバー６や表面カバー３は耐熱性を有するプラスチックを用いている。
【００１３】
ヒータ部４は、図２に示すように、ヒータ脇マイカ７、マイカに熱線を巻き付けたヒータ巻きマイカ８、ヒータ押え板９により構成されており、ベース２の上にヒータ脇マイカ７、ヒータ巻きマイカ８、ヒータ脇マイカ７、ヒータ押え板９の順に積み上げられている。そして、ヒータ押え板９の上には、アイロンの加熱温度の制御するサーモスタット１０と、ベース２への加熱温度に応じて電力の供給を断つ温度ヒューズ１１、ベース２が暖められる時などの通電時に点灯するランプ１２が備えられている。
【００１４】
ベースカバー５の上にはベースカバー５を覆う半球状の中間カバー６とプラグ受け部１３が設けられており、プラグ受け部１３には電源供給を行うマグネットプラグ１４の着脱が可能である。
【００１５】
また、表面カバー３から操作可能な切換えスイッチ１５をベースカバー５上に設け、アイロンとしての使用と照明器具としての使用の切換えを行なえるようにする。従って、アイロンとして使用している際にはランプ１２はベース２が暖められる時などの通電時にのみ点灯し、照明器具として使用している際には常時点灯している。
【００１６】
なお、アイロン機能と照明機能の切換えに於ては上記した切換えスイッチ１５を設ける以外でも機能の切換えが行なわれればよく、例えばヒータ部４がベースを暖めてからある一定時間経過すれば自動的に加熱を止め、照明機能として点灯するという方法も考えられる。
【００１７】
表面カバー３の形状は半球状であるが、これは表面カバー３の内部で発光するランプ１２の光線がどの方向にも均等な明るさで伝わり見た目に美しいからである。しかし、敢えて照明の別の効果を狙うのであれば他の形状にしたり、表面カバー３及び中間カバー６に加工を施すものでもよい。
【００１８】
例えば、光が乱反射するように表面カバー３や中間カバー６を多角形状にしアイロン１の全体が輝くように見えるように形成してもよいし、表面カバー３の表面に微細な凹凸を設けることによってすりガラス風に加工し、アイロン１から柔らかい印象を与える光を発するようにしてもよい。また、表面カバー３の内部に光透過性の無い部分を設け模様を形成しながら照明を行なってもよい。さらに、表面カバー３を立方体や三角錐、あるいは漫画等のキャラクターを象った形状としてもよい。
【００１９】
表面カバー３、中間カバー６の素材は光透過性の耐熱材であるプラスチックを使用しており、それらの色は自由に設定できる。但し、表面カバー３が透明であるようなアイロン１の内部の部品が見えてしまうとき、アイロン１全体の美観を損ねてしまう。従って、そのとき中間カバー６は内部の部品が見えない程度に光透過性を有するものが好ましい。
【００２０】
【発明の効果】
本発明は、ヒータにより加熱される円形のベースと、前記ベースの上方を覆うように配設されたベースカバーと、前記ベースカバーを覆うように配設した表面カバーを具備し、前記表面カバーの内部に発光手段を設け前記表面カバーを光透過性とし照明機能を付加したアイロンであり、アイロン機能に留まらず照明機能として使用できるものである。
【図面の簡単な説明】
【図１】本発明の実施例を示すアイロン本体の横断面図
【図２】同アイロンのヒータ部付近の横断面図
【符号の説明】
１  アイロン
２  ベース
３  表面カバー
４  ヒータ部
５  ベースカバー
６  中間カバー
７  ヒータ脇マイカ
８  ヒータ巻きマイカ
９  ヒータ押え板
１０  サーモスタット
１１  温度ヒューズ
１２  ランプ
１３  プラグ受け部
１４  マグネットプラグ
１５  切換えスイッチ
【図１】
2004275375.tif 000003
【図２】
2004275375.tif 000004